(57)【要約】【課題】室内ユニットからの凝縮水漏れが無い空気調和機を提供する。【解決手段】室内ユニット１を、室内側熱交換器２と、室内ファン３と、凝縮水を処理する水受け皿４ａを内蔵する台枠１ｂと、前記台枠１ｂに取り付け可能な前面枠５で構成し、室外ユニット（図示せず）からの接続配管（図示せず）と室内側熱交換器２を接続するとともに断熱材からなる被覆で覆われた被覆部６ａを有する補助配管６を備え、室内ユニット１内の被覆部６ａの上部に位置しかつ前下がり状に傾斜した底部１ｃを有する樋部１ａを前記台枠１ｂに取り付けたもので、被覆部６ａの上部に位置する二方弁９などから滴下する凝縮水が桶部１ａで受けられるので、凝縮水が被覆部６ａを伝って室内ユニット１から漏れることがない。【選択図】図２ 
2005098531.tif 000002
【特許請求の範囲】
【請求項１】
室外ユニットと室内ユニットからなり、前記室内ユニットを、室内側熱交換器と、室内ファンと、凝縮水を処理する水受け皿を内蔵する台枠と、風の吸い込み部と吹き出し部を有するとともに前記台枠に取り付け可能な前面枠で構成し、前記室外ユニットからの接続配管と前記室内側熱交換器を接続するとともに断熱材からなる被覆で覆われた被覆部を有する補助配管を備え、前記室内ユニット内の前記被覆部の上部に位置しかつ前下がり状に傾斜した底部を有する樋部を前記台枠に取り付けた空気調和機。
【請求項２】
室内側熱交換器の一部を冷房運転時に凝縮器に変えるための二方弁、キャピラリーチューブまたは膨張弁、熱交換器と接続するための配管等凝縮水が滴下し得る部品の少なくとも一部を被覆部の上方に配設するともに、樋部を前記凝縮水の滴下し得る部品と前記被覆部との間に配したことを特徴とする請求項１記載の空気調和機。
【請求項３】
被覆部を台枠に収納および固定するための配管押さえ具を設け、桶部を前記配管押さえ具に一体又は一体的に形成したことを特徴とする請求項１または２記載の空気調和機。
【請求項４】
樋部の底部の先端より略水平に後方に延びる壁を設け、前記底部を二重構造に形成したことを特徴とする請求項３記載の空気調和機。
【請求項５】
樋部の底部の下部に、前記底部の先端より略水平かつ後方に延びる面と、背面および左右の側面とで形成される中空層を設けたことを特徴とする請求項３記載の空気調和機。
【発明の詳細な説明】
【技術分野】
【０００１】
本発明は、空気調和機に関するもので、特に、空気調和機の室内ユニットの凝縮水処理に関するものである。
【背景技術】
【０００２】
従来の空気調和機の室内ユニット１における凝縮水処理について、図８、図９を参照しながら説明する。
【０００３】
図８は従来の空気調和機の室内ユニット１の断面図を示し、１ｂは室内ユニット１の風回路の一部および外郭の一部を構成する台枠である。前記台枠１ｂには室内側熱交換器２と、室内ファン３および室内風回路の吹き出し部４ｂを構成し、凝縮水を処理する水受け皿４ａを有する吹き出しグリル４が取り付けられている。
【０００４】
また前記台枠１ｂには、室内送風回路の吸い込み部５ａと吹き出し部５ｂを有し外郭の一部を構成する前面枠５が取り付けられ室内ユニット１本体の外郭を構成している。
【０００５】
また６は、室外側ユニット（図示せず）からの接続配管（図示せず）と室内ユニット１を接続する補助配管であり前記室内側熱交換器２と接続されており、６ａは、前記台枠１ｂの背面側収納部に位置する補助配管６の断熱材からなる被覆で覆われた被覆部である。前記室内側熱交換器２と前記補助配管６の間には、凝縮水が滴下する可能性のある配管部７が接続されており前記補助配管６の被覆部６ａの上部に配設されている。前記補助配管６の被覆部６ａの端面には、配管７から滴下する凝縮水を受ける水受け部８が取り付けられている。
【０００６】
図９は、前記水受け部８の詳細を示す斜視図であり、配管部７より滴下した凝縮水を前記水受け部８が受け、前記補助配管６の被覆部６ａの端面側へ凝縮水を誘導し、前記被覆部６ａを伝って前記台枠１ｂの背面側に凝縮水が回り込むのを防止していた（例えば、特許文献１参照）。
【特許文献１】特開平４−１６１７３０号公報
【発明の開示】
【発明が解決しようとする課題】
【０００７】
しかしながら、上記従来の構成では、補助配管６の上部に凝縮水の滴下する可能性のある部品を配設する場合には、補助配管６の被覆部６ａに水受け部８等の部品等を取り付け凝縮水の水処理を行う必要があるが、被覆部６ａは伸縮性を有するため取り付け位置を安定させることは非常に困難で、水受け部８で受けきれなかった凝縮水の一部が補助配管６を伝って室内ユニット１から漏れ出る等の問題があった。
【０００８】
本発明は、上記課題を解決するもので、凝縮水の補助配管に施された被覆部への滴下を確実に防止し、室内ユニットからの水の滴下がない空気調和機を提供する事である。
【課題を解決するための手段】
【０００９】
上記従来の課題を解決するために、本発明の空気調和機は、室内ユニットを、室内側熱交換器と、室内ファンと、凝縮水を処理する水受け皿を内蔵する台枠と、前記台枠に取り付け可能な前面枠で構成し、室外ユニットからの接続配管と前記室内側熱交換器を接続するとともに断熱材からなる被覆で覆われた被覆部を有する補助配管を備え、前記室内ユニット内の前記被覆部の上部に位置しかつ前下がり状に傾斜した底部を有する樋部を前記台
枠に取り付けたもので、被覆部の上部に位置する二方弁やキャピラリーチューブ、配管などから凝縮水が滴下しても、それが桶部で受けられ、補助配管の被覆部への凝縮水の滴下が防止されるので、被覆部を伝って凝縮水が室内ユニットから漏れるのを確実に防止できる。
【発明の効果】
【００１０】
本発明の空気調和機は、補助配管の被覆部への凝縮水の滴下を防止し、被覆部を伝って凝縮水が室内ユニットから漏れ出るのを防止することができる。
【発明を実施するための最良の形態】
【００１１】
第１、２の発明は、室外ユニットと室内ユニットからなり、前記室内ユニットを、室内側熱交換器と、室内ファンと、凝縮水を処理する水受け皿を内蔵する台枠と、風の吸い込み部と吹き出し部を有するとともに前記台枠に取り付け可能な前面枠で構成し、前記室外ユニットからの接続配管と前記室内側熱交換器を接続するとともに断熱材からなる被覆で覆われた被覆部を有する補助配管を備え、前記室内ユニット内の前記被覆部の上部に位置しかつ前下がり状に傾斜した底部を有する樋部を前記台枠に取り付けたもので、被覆部の上部に位置する二方弁やキャピラリーチューブ、配管などから凝縮水が滴下しても、それが桶部で受けられ、補助配管の被覆部への凝縮水の滴下が防止されるので、被覆部を伝って凝縮水が室内ユニットから漏れるのを確実に防止できる。
【００１２】
第３の発明は、特に、第１又は第２の発明の被覆部を台枠に収納および固定するための配管押さえ具を設け、桶部を前記配管押さえ具に一体又は一体的に形成したもので、室内側熱交換器を台枠へ取り付けた後、配管押さえ具を台枠へ取り付けるだけで補助配管の被覆部の収納、固定ができると共に桶部も所定の位置に配されるので組み立て工数が大幅に削減できる。
【００１３】
第４の発明は、特に、請求項３の発明の樋部の底部の先端より略水平に後方に延びる壁を設け、前記底部を二重構造に形成したもので、配管押さえ具の傾斜した底部を、後部に穴を開けたり、金型にスライド機構を採用することなく形成することが可能となる。また樋部の下方に穴が無いことにより、外部から補助配管の被覆部周辺への空気の流入も防止出来るので、近傍の部品・配管への結露量も抑えることができる。
【００１４】
第５の発明は、特に第３の発明の樋部の底部の下部に、前記底部の先端より略水平かつ後方に延びる面と、背面および左右の側面とで形成される中空層を設けたもので、凝縮水が滴下する可能性のある部品が前記樋部に近接して樋部が過度に冷却される場合でも、中空層が断熱層の役目をして、樋部の底部の裏面等に結露するのを防止でき、結果として配管押さえ具を伝わっての室内ユニットからの水の滴下を防止できる。
【００１５】
以下、本発明の実施の形態について、図面を参照しながら説明する。なお、この実施の形態によって本発明が限定されるものではない。
【００１６】
（実施の形態１）
以下、本発明の第１の実施の形態における空気調和機を図１、２、３を用いて説明する。なお、従来と同一部分に付いては、同一符号を付して、その説明を省略する。
【００１７】
図１は、本発明に係る空気調和機の室内ユニット１の室内側熱交換器２と補助配管６の詳細を示す斜視図である。
【００１８】
図１において、室内側熱交換器２には、冷房時に室内側熱交換器２の一部を凝縮器として機能させるための２方弁９およびキャピラリーチューブブロック１０が接続されており
、いずれも凝縮水の滴下する可能性のある部品であり、前記キャピラリーチューブブロック１０の一部が補助配管６の被覆部６ａの上部に配設されている。
【００１９】
図２は室内ユニット１の断面図を示しており、前記室内側熱交換器２と補助配管６が台枠１ｂに組み付けられた状態を示している。１ａは台枠１ｂに取着され形状が略樋状の樋部で、その底部１ｃは、補助配管６の被覆部６ａとキャピラリーチューブブロック１０の間に位置すると共に前方下方に傾斜され、かつ前記底部１ｃの前方端部は、被覆部６ａの端部より前方に位置させている。
【００２０】
上記構成により、図３に示すように、キャピラリーチューブブロック１０から滴下する凝縮水は、樋部１ａで受けられたのち前方に流れ、水受け皿４ａに滴下するが、その際、底部１ｃの前方端部が被覆部６ａの端部より前方に位置しているので、凝縮水が被覆部６ａに滴下することがなく、それに伴い室内ユニット１から凝縮水が滴下することを確実に防止する事ができる。
【００２１】
また、樋部１ａが、頑強な台枠１ｂに取り付けられているので、その取り付け位置が変動する事がないので、上部に位置する部品から滴下する凝縮水を確実に受けることができるものである。
【００２２】
（実施の形態２）
次に、本発明の第２の実施の形態における空気調和機を図４を用いて説明する。なお、上記第１の実施の形態と同一部分については、同一符号を付して、その説明を省略する。
【００２３】
図４は、本実施の形態における空気調和機の要部斜視図で、１１は、補助配管６の被覆部６ａを収納すると共に、台枠１ｂの背面部に取り付けられる配管押さえ具である。配管押さえ具１１の上部は、台枠１ｂが構成する外郭の一部を形成するとともに、前記配管押さえ具１１の上部外郭部より滴下する凝縮水を受ける樋部１１ａが形成されている。
【００２４】
図５は前記配管押さえ具１１の断面図を示し、前記樋部１１ａの底部は上部背面より前面下方に傾斜するとともに凝縮水を受ける凝縮水受面１１ｂとなっている。前記凝縮水受面１１ｂの下方には、前記凝縮水受面１１ｂを金型上簡易な上下抜きで形成するための穴１１ｃが設けられている。
【００２５】
上記の構成によって、配管押さえ具１１に形成した樋部１１ａによって、滴下した凝縮水は、前記補助配管６の被覆部６ａの前方へ誘導されるので、凝縮水が被覆部６ａに滴下することがない。
【００２６】
なお、上記実施の形態では、凝縮水受面１１ｂを形成するのに、その下方に穴１１ｃを設けたが、図６に示すように、凝縮水受面１１ｂの先端より略水平後方に延びる壁１１ｄを設け凝縮水受面１１ｂを二重構造にすれば、穴１１ｃを設けることなく、同じく構成簡単な上下抜き金型で形成することができる。
【００２７】
さらに、図７に示すように、凝縮水処理面１１ｂおよび凝縮水受面１１ｂの先端より略水平後方に延びる壁１１ｄより形成される二重構造面の背面側を、蓋部１２で覆い、前記凝縮水受面１１ｂの下方に中空層１１ｅを形成するようにすれば、中空層１１ｅが断熱部となり、凝縮水を受けて冷やされる凝縮水受面１１ｂの裏面に結露が発生するのを防止することができる。
【産業上の利用可能性】
【００２８】
以上のように、本発明にかかる空気調和機は、本体内部で発生した凝縮水が室内ユニッ
トから漏れ出る事が無いので、冷媒が通る熱交換器を有する各種冷蔵庫、冷凍庫等にも広く適用することができるものである。
【図面の簡単な説明】
【００２９】
【図１】本発明の第１の実施の形態を示す空気調和機の室内側熱交換器の斜視図
【図２】同空気調和機の室内ユニットの断面図
【図３】同室内ユニットの部分斜視図
【図４】本発明の第２の実施の形態を示す空気調和機の要部斜視図
【図５】同空気調和機の配管押さえ具の断面図
【図６】他の例を示す配管押さえ具の断面図
【図７】さらに他の例を示す配管押さえ具の断面図
【図８】従来の空気調和機の室内ユニットの断面図
【図９】同室内ユニットの水受け部の詳細を示す斜視図
【符号の説明】
【００３０】
１  室内ユニット
１ａ  樋部
１ｂ  台枠
１ｃ  底部
２  室内熱交換器
３  室内ファン
４ａ  水受け皿
５  前面枠
６  補助配管
６ａ  被覆部
８  水受け部
９  ２方弁
１０  キャピラリーチューブブロック
１１  配管押さえ具
１１ａ  樋部
１１ｂ  凝縮水受面（底部）
１１ｃ  穴
１１ｄ  壁
１１ｅ  中空層
１２  蓋部
【図１】
2005098531.tif 000003
【図２】
2005098531.tif 000004
【図３】
2005098531.tif 000005
【図４】
2005098531.tif 000006
【図５】
2005098531.tif 000007
【図６】
2005098531.tif 000008
【図７】
2005098531.tif 000009
【図８】
2005098531.tif 000010
【図９】
2005098531.tif 000011